(57)【要約】【課題】  組立作業性及び止水性に優れたケーブル取出し用保護部材、これを用いた角形電線管の管路、角形電線管の管路からの電線あるいはケーブルの取出し構造、及び角形電線管の管路の積層構造を提供する。【解決手段】  一方の下部半割部材２ｂは、筒状部４が分岐部を有しない半筒状部材である。また、他方の上部半割部材２ａは、筒状部４が所定角度で分岐する円筒状の分岐部５を有する半筒状部材である。２つの上部半割部材２ａ及び下部半割部材２ｂの、それぞれの大径部収納部３の略Ｕ字状の幅方向の両端部に、互いに嵌合可能な係止突起と係止凹部とがそれぞれ形成される。２つの上部半割部材２ａ及び下部半割部材２ｂを組み合わせた状態で、筒状部４の管軸方向の両端部近傍の外周において、上部半割部材２ａ及び下部半割部材２ｂが固定部材で固定される。【選択図】図４
2022003845.tif 000002
【特許請求の範囲】
【請求項１】
２つの半割り部材が組み合せられて形成され、さらに前記半割り部材が固定部材で固定されるケーブル取出し用保護部材であって、
２つの前記半割り部材は、大径部収納部、筒状部、大径部収納部が管軸方向に順に形成された半筒状部材であり、
一方の前記半割り部材は、前記筒状部が所定角度で分岐する円筒状の分岐部を有する半筒状部材であり、他方の前記半割り部材は、前記筒状部が分岐部を有しない半筒状部材であり、
前記半割り部材の前記大径部収納部は、内部に角形電線管の略矩形状の大径部が収納できるように、外周がコーナ部に丸みを有する略Ｕ字状であり、前記分岐部を除く前記筒状部より外径が大きく形成され、
２つの前記半割り部材のそれぞれの前記大径部収納部の前記略Ｕ字状の幅方向の両端部には、互いに嵌合可能な係止突起と係止凹部とがそれぞれ形成され、２つの前記半割り部材の前記大径部収納部の前記略Ｕ字状の幅方向の両端部を当接させることで、前記係止突起を前記係止凹部に嵌合させることが可能であり、
２つの前記半割り部材の前記分岐部を除く前記筒状部の内周面、及び前記筒状部の両側の前記大径部収納部の内周面の全周には、止水部材が貼合されており、
２つの前記半割り部材を組み合わせた状態で、前記筒状部の管軸方向の両端部近傍の外周において、固定部材で固定されることを特徴とするケーブル取出し用保護部材。
【請求項２】
前記止水部材は、ゴムパッキンまたは水膨張部材を含む不織布であることを特徴とする請求項１に記載のケーブル取出し用保護部材。
【請求項３】
前記分岐部は、２つの前記半割り部材の一方の前記半割り部材に、前記筒状部より所定角度で円筒状に突出するように形成されていることを特徴とする請求項１または請求項２に記載のケーブル取出し用保護部材。
【請求項４】
前記固定部材は伸縮性を有するバンド状固定部材であり、前記筒状部の管軸方向の両端部近傍の外周が前記固定部材で固定されることを特徴とする請求項１から請求項３のいずれかに記載のケーブル取出し用保護部材。
【請求項５】
前記固定部材は拡開可能なばね性を有するＣリングであり、前記筒状部の管軸方向の両端部近傍の外周に前記Ｃリングを配置することで、前記Ｃリングの縮径力により、前記筒状部を固定することを特徴とする請求項１から請求項３のいずれかに記載のケーブル取出し用保護部材。
【請求項６】
前記Ｃリングの内周には、円周方向に略平行か、あるいは螺旋状の複数のねじ山からなるねじ部が形成され、さらに前記筒状部の外周には、これと嵌合可能なねじ部が形成され、前記Ｃリングの内周のねじ部が、前記筒状部の外周のねじ部に嵌合されることを特徴とする請求項５に記載のケーブル取出し用保護部材。
【請求項７】
前記筒状部の前記バンド状固定部材または前記Ｃリングが配置される位置の内側近傍に、前記筒状部の外周に前記筒状部の外径より僅かに外径の大きな突状部を設け、前記筒状部の両端部と前記突状部の間にそれぞれ前記バンド状固定部材または前記Ｃリングが固定されることを特徴とする請求項４から請求項６のいずれかに記載のケーブル取出し用保護部材。
【請求項８】
前記分岐部の先端近傍の外周には接続部が形成され、前記接続部に分岐用電線管が接続されていることを特徴とする請求項１から請求項７のいずれかに記載のケーブル取出し用保護部材。
【請求項９】
前記接続部が、大径の下部接続部と、前記下部接続部より小径の上部接続部の２段に形成され、前記下部接続部と前記上部接続部の２つの接続部のいずれかに分岐用電線管が接続されることを特徴とする請求項８記載のケーブル取出し用保護部材。
【請求項１０】
前記接続部には、らせん状のねじ部、またはリング部材と止水部材を有する雄型接続部のいずれかが形成されていることを特徴とする請求項８または請求項９に記載のケーブル取出し用保護部材。
【請求項１１】
前記接続部に、電線管を接続しない場合には、止水栓が被冠されることが可能なことを特徴とする請求項１０記載のケーブル取出し用保護部材。
【請求項１２】
前記半割り部材の両側に形成された前記大径部収納部の管軸方向の距離が、ケーブル取出し用保護部材に固定される角形電線管の大径部の配置間隔と一致する長さに設定されることを特徴とする請求項１から請求項１１のいずれかに記載のケーブル取出し用保護部材。
【請求項１３】
請求項１から請求項１２のいずれかに記載のケーブル取出し用保護部材を有する角形電線管の管路であって、
前記ケーブル取出し用保護部材の両側には角形電線管が接続され、前記ケーブル取出し用保護部材の両端の前記大径部収納部に、前記角形電線管の大径部が収納されることを特徴とする角形電線管の管路。
【請求項１４】
前記角形電線管が、外管の小径部に内管が融着することで形成される二重壁角形電線管であり、前記二重壁角形電線管が前記ケーブル取出し用保護部材の両側に接続されることを特徴とする請求項１３記載の角形電線管の管路。
【請求項１５】
請求項１３または請求項１４に記載の角形電線管の管路からの電線あるいはケーブルの取出し構造であって、
前記角形電線管の管路には、複数の前記電線あるいはケーブルが挿通され、前記電線あるいはケーブルのいずれかが、前記ケーブル取出し用保護部材の分岐部から取出されることを特徴とする角形電線管の管路からの電線あるいはケーブルの取出し構造。
【請求項１６】
請求項１５に記載の前記角形電線管の管路からの電線あるいはケーブルの取出し構造が、多条多段に積層された角形電線管の管路の積層構造の最上段に配置されていることを特徴とする角形電線管の管路の積層構造。
【請求項１７】
前記分岐部から分岐された前記電線あるいはケーブルが、外部接続されることを特徴とする請求項１６に記載の角形電線管の管路の積層構造。
【発明の詳細な説明】
【技術分野】
【０００１】
本発明は、ケーブルの分岐部に用いられるケーブル取出し用保護部材、これを用いた角形電線管の管路、角形電線管の管路からの電線あるいはケーブルの取出し構造、及び角形電線管の管路の積層構造に関する。
【背景技術】
【０００２】
従来、丸型の螺旋状波付電線管が多く用いられていたが、近年、地中埋設用の電線保護管として、角形断面と円形断面が交互に形成されている角形電線管が提案されている。角形電線管は、電線管を密着して多条多段の管路を形成することが可能なため、電線管の埋設工事において、土砂の掘り起こし量が少なく、工事期間も短いメリットがある。このため、近年の災害対策の一環として、電柱でのケーブル敷設に代わり、角形電線管を使用したケーブル敷設方式が注目されており、特に大都会において、角形電線管の施工が多く取り入れられている。
【０００３】
なお、角形電線管の場合には、小径部と大径部の段差が大きいため、通信ケーブル等を角形電線管に挿入する際に、通信ケーブルが小径部と大径部の段差に引っかかって通線できないという問題が発生する場合がある。これに対し、電線管の内部に通信ケーブルを通線しやすいように、電線管の内部に内管を設けた二重壁角形電線管も提案されている。
【０００４】
一方、電線管に挿通された電線ケーブルの敷設構造に対して、電線ケーブルを分岐する場合がある。この際、電線管の管路の一部を切断して、切断した部分の電線管の管路に対して取り付けが容易な止水性に優れるケーブル取出し用保護部材の必要性が従来にも増して高まっている。
【０００５】
このようなケーブルの分岐のための地中埋設管としては、例えば、管内を分離板によって二分し、その一方に幹線ケーブルを、他方に幹線ケーブルから分岐した分岐ケーブルを配置収容して保護する地中埋設管が提案されている（特許文献１）。特許文献１の地中埋設管は、分離板の幅方向の両端が埋設管内壁に当接して管内を上下方向に二分し、地中埋設管の内壁と当接する弧状板が設けられる。この地中埋設管は、管路の途中に分岐管継手が形成され、管内の分岐ケーブルは、この分岐管継手を経て分岐管へと引き出される。
【０００６】
また、他のケーブルの分岐部の構造として、通信ケーブルを挿入する高防食性の合成樹脂からなる保護管や分岐管を有する継手の構造が提案されている（特許文献２）。この保護管の内部に、長手方向に亘り上下に分割するネット状物を設け、下部空間に幹線ケーブルが配置され、上部空間に引き込みケーブルが配置される。また、上部空間に対して斜め上方に突出する分岐管が設けられる。
【０００７】
また、内部にケーブル等が通線される保護管の配管分岐部に設けられる配管分岐カバーが提案されている（特許文献３）。特許文献３の配管分岐部は、主管と枝管とが、底部が開口した配管分岐カバーにより保持される。配管分岐カバーの主管保持部により主管が保持され、枝管保持部先端近傍の内面には、枝管保持突起が設けられる。枝管保持部に挿入された枝管の外周の波形が枝管保持突起により係止されて固定される。
【０００８】
また、新たな需要家にケーブルを引き込む場合に、内管を分岐させる箇所にハンドホールを設置せずに、分岐を行う施工方法が提案されている（特許文献４）。このケーブル分岐部の施工方法は、外管内に収納されている内管を分岐させる分岐工法である。具体的には、まず、外管に開口部を形成し、開口部を利用して分岐させる内管の所定長さ分を切除する。次に、切除された内管の各端部に分岐部材を装着して端部同士を連通させ、内分岐管を開口部に通して外管の外側に突出させる。そして、内分岐管を外分岐管に挿入し、サドル部で開口部を密封することで分岐構造を得ることができる。
【先行技術文献】
【特許文献】
【０００９】
【特許文献１】特開２００７−１４３３９４号公報
【特許文献２】特開２００６−１７４５４４号公報
【特許文献３】特開２０１１−０４１３９５号公報
【特許文献４】特開２００４−０８０９５３号公報
【発明の概要】
【発明が解決しようとする課題】
【００１０】
しかし、特許文献１に記載される構造は、管路の途中に分岐管継手が形成された上下に２分されたものである。また、特許文献２、特許文献４に記載されている構造は、分岐部を有する内管または保護管である。これらは、いずれもリジッドなＹ字状の分岐部を有する一体の筒状管構造を有するものであり、これを利用してケーブルの取出しを行おうとすると、取出し部材を容易に組立することができないという問題がある。
【００１１】
一方、特許文献３は、容易に着脱可能なカバー部材に関するものであるが、カバー部材が分岐部を除き主管全体を覆うものでないため、主管とカバーの接触面の隙間から水が浸入する恐れがあり、止水性にも問題がある。つまり、特許文献３は、構造的には、分岐部の開口部を塞ぐカバーに過ぎない。このように、上記の特許文献１から特許文献４のいずれの発明も、組立作業性に優れるものではなく、止水性にも問題がある。
【００１２】
本発明は、このような問題に鑑みてなされたもので、組立作業性及び止水性に優れたケーブル取出し用保護部材、これを用いた角形電線管の管路、角形電線管の管路からの電線あるいはケーブルの取出し構造、及び角形電線管の管路の積層構造を提供することを目的とする。
【課題を解決するための手段】
【００１３】
前述した目的を達するために第１の発明は、２つの半割り部材が組み合せられて形成され、さらに前記半割り部材が固定部材で固定されるケーブル取出し用保護部材であって、２つの前記半割り部材は、大径部収納部、筒状部、大径部収納部が管軸方向に順に形成された半筒状部材であり、一方の前記半割り部材は、前記筒状部が所定角度で分岐する円筒状の分岐部を有する半筒状部材であり、他方の前記半割り部材は、前記筒状部が分岐部を有しない半筒状部材であり、前記半割り部材の前記大径部収納部は、内部に角形電線管の略矩形状の大径部が収納できるように、外周がコーナ部に丸みを有する略Ｕ字状であり、前記分岐部を除く前記筒状部より外径が大きく形成され、２つの前記半割り部材のそれぞれの前記大径部収納部の前記略Ｕ字状の幅方向の両端部には、互いに嵌合可能な係止突起と係止凹部とがそれぞれ形成され、２つの前記半割り部材の前記大径部収納部の前記略Ｕ字状の幅方向の両端部を当接させることで、前記係止突起を前記係止凹部に嵌合させることが可能であり、２つの前記半割り部材の前記分岐部を除く前記筒状部の内周面、及び前記筒状部の両側の前記大径部収納部の内周面の全周には、止水部材が貼合されており、２つの前記半割り部材を組み合わせた状態で、前記筒状部の管軸方向の両端部近傍の外周において、固定部材で固定されることを特徴とするケーブル取出し用保護部材である。
【００１４】
前記止水部材は、ゴムパッキンまたは水膨張部材を含む不織布であることが望ましい。
【００１５】
前記分岐部は、２つの前記半割り部材の一方の前記半割り部材に、前記筒状部より所定角度で円筒状に突出するように形成されていてもよい。
【００１６】
前記固定部材は伸縮性を有するバンド状固定部材であり、前記筒状部の管軸方向の両端部近傍の外周が前記固定部材で固定されてもよい。
【００１７】
前記固定部材は拡開可能なばね性を有するＣリングであり、前記筒状部の管軸方向の両端部近傍の外周に前記Ｃリングを配置することで、前記Ｃリングの縮径力により、前記筒状部を固定してもよい。
【００１８】
前記Ｃリングの内周には、円周方向に略平行か、あるいは螺旋状の複数のねじ山からなるねじ部が形成され、さらに前記筒状部の外周には、これと嵌合可能なねじ部が形成され、前記Ｃリングの内周のねじ部が、前記筒状部の外周のねじ部に嵌合されてもよい。  
【００１９】
前記筒状部の前記バンド状固定部材または前記Ｃリングが配置される位置の内側近傍に、前記筒状部の外周に前記筒状部の外径より僅かに外径の大きな突状部を設け、前記筒状部の両端部と前記突状部の間に、それぞれ前記バンド状固定部材または前記Ｃリングが固定されてもよい。ここで、前記突状部は、筒状部の外周全周に形成されてもよいし、円周上の一部に形成されてもいずれでもよい。
【００２０】
前記分岐部の先端近傍の外周には接続部が形成され、前記接続部に分岐用電線管が接続されてもよい。
【００２１】
この場合、前記接続部が、大径の下部接続部と、前記下部接続部より小径の上部接続部の２段に形成され、前記下部接続部と前記上部接続部の２つの接続部のいずれかに分岐用電線管が接続されてもよい。
【００２２】
前記接続部には、らせん状のねじ部、またはリング部材と止水部材を有する雄型接続部のいずれかが形成されてもよい。
【００２３】
前記接続部に、電線管を接続しない場合には、止水栓を被冠することが可能であってもよい。
【００２４】
前記半割り部材の両側に形成された前記大径部収納部の管軸方向の距離が、ケーブル取出し用保護部材に固定される角形電線管の大径部の配置間隔と一致する長さに設定されてもよい。
【００２５】
第１の発明によれば、ケーブル取出し用保護部材が、２つの半割り部材を組み合わせ、筒状部の管軸方向の両端部近傍の外周において、固定部材で固定されるだけで得ることができるので、組み立て性が良好である。この際、互いに嵌合可能な係止突起と係止凹部とがそれぞれ形成されるため、部材の位置決めも容易である。また、２つの半割り部材の筒状部の内周面、及び筒状部の両側の大径部収納部の内周面の全周に、止水部材が貼合されているため、止水性を確保することができる。
【００２６】
このように、ケーブル取出し用保護部材１は、上部半割部材と下部半割部材との嵌合及び固定構造と、止水性確保の構造が独立して形成されるため、簡易な構造で、確実に両者の効果を相互に阻害することなく得ることができる。また、本ケーブル取出し用保護部材は、新設管路であっても既設管路であっても同様に適用可能である。
【００２７】
また、止水部材が、ゴムパッキンまたは水膨張部材を含む不織布であれば、高い止水性を確保することができる。
【００２８】
また、分岐部が筒状部より所定角度で円筒状に突出するように形成されることで、分岐部の先端近傍に、分岐用電線管を接続可能である。
【００２９】
また、固定部材が伸縮性を有するバンド状固定部材であり、筒状部の管軸方向の両端部近傍の外周を固定部材で固定することで、確実に２つの半割部材を組立てた状態で固定することができる。
【００３０】
また、固定部材が拡開可能なばね性を有するＣリングであり、筒状部の管軸方向の両端部近傍の外周にＣリングを配置することで、Ｃリングの縮径力により、筒状部を固定することができる。
【００３１】
また、Ｃリングの内周に、円周方向に略平行か、あるいは螺旋状の複数のねじ山からなるねじ部が形成され、さらに筒状部の外周に、これと嵌合可能なねじ部が形成されれば、Ｃリングの内周のねじ部と筒状部の外周のねじ部とを嵌合させることができる。このため、確実に２つの半割部材を組立てた状態で固定することができるとともに、Ｃリングのずれを抑制することができる。
【００３２】
Ｃリングの内周に形成されるねじ部は、円周方向に略平行な複数のねじ山でも、螺旋状のねじ山でもよく、筒状部にいずれかのねじ山を形成すれば、Ｃリングと筒状部とを嵌合させることができる。
【００３３】
以上の他、筒状部にねじ部を形成する代わりに、筒状部のバンド状固定部材またはＣリングが配置される位置の内側近傍に突状部を形成することでも、バンド状固定部材またはＣリングなどの固定部材による２つの半割り部材の固定位置を安定化させ、さらにこれらの固定部材のずれを防止することが可能になる。なお、前記突状部は、筒状部の円周上の少なくとも一部に形成されていればよい。
【００３４】
また、分岐部の先端近傍の外周に接続部が形成されれば、接続部に分岐用電線管を接続することができる。
【００３５】
また、接続部が、大径の下部接続部と、下部接続部より小径の上部接続部の２段に形成されれば、２つの接続部のいずれかに分岐用電線管を接続することができる。
【００３６】
接続部が、らせん溝で形成されるか、または抜け止めリングとゴムパッキンからなる雄型接続部のいずれかで形成されれば、接続部への分岐用電線管の接続が容易である。
【００３７】
また、接続部に止水栓を被冠可能とすることで、接続部に分岐用電線管を接続しない場合に接続部を閉塞することができる。
【００３８】
また、半割り部材の両側に形成された大径部収納部の管軸方向の距離が、ケーブル取出し用保護部材に固定される角形電線管の大径部の配置間隔と一致する長さに設定されれば、ケーブル取出し用保護部材を既設の角形電線管の管路の途中に設置することもできる。
【００３９】
第２の発明は、第１の発明にかかるケーブル取出し用保護部材を有する角形電線管の管路であって、前記ケーブル取出し用保護部材の両側には角形電線管が接続され、前記ケーブル取出し用保護部材の両端の前記大径部収納部に、前記角形電線管の大径部が収納されることを特徴とする角形電線管の管路である。
【００４０】
前記角形電線管が、外管の小径部に内管が融着することで形成される二重壁角形電線管であり、前記二重壁角形電線管が前記ケーブル取出し用保護部材の両側に接続されてもよい。
【００４１】
第２の発明によれば、ケーブル取出し用保護部材の両側から角形電線管を挿入して、両者を接続して管路を形成することができる。
【００４２】
また、角形電線管が二重壁角形電線管であれば、前述したように、電線管内部の凹凸がほとんどないため、管路へのケーブル等の挿通が容易である。
【００４３】
第３の発明は、第２の発明にかかる角形電線管の管路からの電線あるいはケーブルの取出し構造であって、前記角形電線管の管路には、複数の前記電線あるいはケーブルが挿通され、前記電線あるいはケーブルのいずれかが、前記ケーブル取出し用保護部材の分岐部から取出されることを特徴とする角形電線管の管路からの電線あるいはケーブルの取出し構造である。
【００４４】
第３の発明によれば、ケーブル取出し用保護部材の両側から角形電線管を挿入して形成された管路において、接続部からケーブルを分岐させることができる。
【００４５】
第４の発明は、第３の発明にかかる角形電線管の管路からの電線あるいはケーブルの取出し構造が、多条多段に積層された角形電線管の管路の積層構造の最上段に配置されていることを特徴とする角形電線管の管路の積層構造である。
【００４６】
前記分岐部から分岐された前記電線あるいはケーブルが、外部接続されてもよい。
【００４７】
第４の発明によれば、多条多段に積層された角形電線管の管路から、ケーブルを分岐させることができる。
【００４８】
この際、分岐部で分岐された電線あるいはケーブルを外部接続することができる。
【発明の効果】
【００４９】
本発明によれば、組立作業性及び止水性に優れたケーブル取出し用保護部材、これを用いた角形電線管の管路、角形電線管の管路からの電線あるいはケーブルの取出し構造、及び角形電線管の管路の積層構造を提供することができる。
【図面の簡単な説明】
【００５０】
【図１】（ａ）は、上部半割部材２ａの斜視図、（ｂ）は、上部半割部材２ａの側面図。
【図２】（ａ）は、下部半割部材２ｂの斜視図、（ｂ）は、下部半割部材２ｂの側面図。
【図３】ケーブル取出し用保護部材１を示す側面図。
【図４】バンド状固定部材９で固定されたケーブル取出し用保護部材１を示す側面図。
【図５】Ｃリング８で固定されたケーブル取出し用保護部材１を示す側面図。
【図６】（ａ）は、Ｃリング８の正面図、（ｂ）は、（ａ）のＡ−Ａ線断面図、（ｃ）は、Ｃリング８ａの正面図、（ｄ）は、（ｃ）のＢ−Ｂ線断面図。
【図７】（ａ）は、リング部材とゴムパッキンが取り付けられたケーブル取出し用保護部材１を示す側面図、（ｂ）は、ケーブル取出し用保護部材１ａを示す側面図。
【図８】（ａ）は、ケーブル取出し用保護部材１ｂを示す側面図、（ｂ）は、止水栓７が被冠されたケーブル取出し用保護部材１を示す側面図。
【図９】（ａ）、（ｂ）は、ケーブル取出し用保護部材１を用いた角形電線管１２の管路を示す図。
【図１０】ケーブル取出し用保護部材１を用いた二重壁角形電線管１３の管路を示す図。
【図１１】ケーブル取出し用保護部材１を用いた二重壁角形電線管１３の管路からのケーブルの取出し構造を示す図。
【図１２】（ａ）は、角形電線管の多条多段の積層構造１４を示す図、（ｂ）は、角形電線管の多条多段の積層構造１４ａを示す図。
【図１３】角形電線管の多条多段の積層構造１４からのケーブル１１の引き出し構造を示す図。
【発明を実施するための形態】
【００５１】
（第１実施形態）
以下、図面を参照しながら、本発明の第１の実施形態にかかるケーブル取出し用保護部材について説明する。本実施形態にかかるケーブル取出し用保護部材は、２つの半割り部材が組み合わせられ、２つの半割り部材が固定部材で固定されて構成される。
【００５２】
図１（ａ）は、上部半割部材２ａの斜視図、図１（ｂ）は、上部半割部材２ａの側面図である。また、図２（ａ）は、下部半割部材２ｂの斜視図、図２（ｂ）は、下部半割部材２ｂの側面図である。
【００５３】
２つの上部半割部材２ａ、下部半割部材２ｂは、それぞれ、大径部収納部３、筒状部４、大径部収納部３が管軸方向に順に形成された半筒状部材である。一方の上部半割部材２ａは、筒状部４が所定角度で分岐する円筒状の分岐部５を有する半筒状部材である。また、他方の下部半割部材２ｂは、筒状部４が分岐部を有しない半筒状部材である。すなわち、分岐部５は、２つの半割り部材の内、いずれか一方の半割り部材に、筒状部４より所定角度で円筒状に突出するように形成されている。以下、各半割部材について詳細に説明する。
【００５４】
まず、上部半割部材２ａについて説明する。前述したように、上部半割部材２ａは、一方の端部から他方の端部に向けて、順に、大径部収納部３、筒状部４、大径部収納部３が形成された半筒状部材であり、筒状部４には、分岐部５が設けられる。なお、上部半割部材２ａは、例えば高密度ポリエチレンやポリプロピレンなどの高強度のポリオレフィン樹脂で構成される。分岐部５は、上部半割部材２ａの筒状部４より、所定角度で円筒状に突出するように形成される。分岐部５の先端近傍には、分岐用電線管を接続可能な接続部６が形成されている。接続部６の詳細は後述する。
【００５５】
上部半割部材２ａの大径部収納部３は、内部に、後述する角形電線管の略矩形状の大径部が収納できるように形成される。具体的には、上部半割部材２ａの大径部収納部３の外周の形状は、コーナ部に丸みを有する略Ｕ字状で、上部半割部材２ａの大径部収納部３の外周には、周方向に補強用リブが形成されている。また、上部半割部材２ａの大径部収納部３は、分岐部５を除く筒状部４より外径が大きく形成される。
【００５６】
上部半割部材２ａの大径部収納部３の略Ｕ字状の幅方向の両端部には、係止突起として、大径部収納部突起３１が形成される。大径部収納部突起３１は、後述する下部半割部材２ｂとの嵌合部となる。
【００５７】
上部半割部材２ａの筒状部４の両側の大径部収納部３の内周面の全周には、止水部材３４が貼合される。さらに、止水部材３４は、上部半割部材２ａの分岐部５を除く筒状部４の内周面に配置されることが望ましい。止水部材３４は、例えばゴムパッキンまたは水膨張部材を含む不織布である。
【００５８】
止水部材３４がゴムパッキンの場合には、例えば、ＥＰゴム、ＳＢＲ、ＣＲ、ＮＢＲ、ＡＣＭゴムやＥＰＤＭ／ＰＰの動的架橋エラストマー等が適用可能である。
【００５９】
また、止水部材３４が水膨張性不織布の場合には、例えば、ポリエステル繊維とポリアクリル酸ナトリウムの繊維とバインダー樹脂を加えた不織布が適用可能である。この場合、ポリエステル繊維とポリアクリル酸ナトリウムの割合は、両者の合計を１００質量％に対して、ポリアクリル酸ナトリウム量は、３０質量％から７０％質量％であることが望ましい。また、水膨張性不織布には、ポリエステル繊維とポリアクリル酸ナトリウムの繊維の両者の合計に対して、バインダー樹脂を１〜１０質量％の範囲で使用することが望ましい。
【００６０】
ここで、水膨張性不織布は、吸水膨潤してゲル化する。ゲルについての高分子化学における定義は、溶媒に不溶な三次元網目構造を有する高分子およびその膨潤体として定義され、三次元網目構造を持つ架橋高分子では、溶媒との相互作用により膨潤するものの、架橋構造をもつために、有限の膨潤性を示す。この膨潤の度合い（膨潤度）は、架橋密度に依存し、架橋密度が高いほど膨潤度が小さい。また、膨潤ゲルは、液体と固体の中間の物質形態であり、その化学組成や種々の要因を制御することで、粘性のある液体から固体に近い状態まで、粘性と適度な変形能を有する状態に変化させることができる。このため、水膨張性不織布を膨潤してゲル化することにより、止水性を確保すると同時に変形能に優れた状態を作りだすことが可能となり過剰な応力を逃がすことができる。
【００６１】
ここで、ゲル化は、架橋構造によりもたらされるが、架橋構造の生成は、必ずしも架橋構造による必要がなく、異なる分子鎖の特定の単位間の２次的な結合力、例えば水素結合などによっても可能である。また、膨潤してゲル化した三次元網目構造を持つ架橋高分子は、乾燥により収縮してもとの状態に戻ることができる。
【００６２】
次に、下部半割部材２ｂについて説明する。図２（ａ）、図２（ｂ）に示すように、下部半割部材２ｂも上部半割部材２ａと同様に、一方の端部から他方の端部に向けて、順に、大径部収納部３、筒状部４、大径部収納部３が形成された半筒状部材である。また、前述したように、下部半割部材２ｂの筒状部４には、分岐部５は形成されない。
【００６３】
また、上部半割部材２ａと同様に、下部半割部材２ｂの大径部収納部３の外周の形状は、コーナ部に丸みを有する略Ｕ字状で、下部半割部材２ｂの大径部収納部３の外周には、周方向に平行に補強用リブが形成されている。また、下部半割部材２ｂの大径部収納部３は、筒状部４より外径が大きく形成される。なお、下部半割部材２ｂも上部半割部材２ａと同様に、例えば、高密度ポリエチレンやポリプロピレンなどの高強度のポリオレフィン樹脂製である。
【００６４】
下部半割部材２ｂの大径部収納部３の略Ｕ字状の幅方向の両端部には、係止凹部として、大径部収納部凹部３２が形成される。大径部収納部凹部３２は、前述した上部半割部材２ａの大径部収納部突起３１と嵌合可能である。このように、２つの上部半割部材２ａ及び下部半割部材２ｂの、それぞれの大径部収納部３の略Ｕ字状の幅方向の両端部に、互いに嵌合可能な係止突起と係止凹部とがそれぞれ形成される。
【００６５】
図３は、２つの上部半割部材２ａ及び下部半割部材２ｂを組み合わせて形成されたケーブル取出し用保護部材１を示す側面図である。図３に示すように、２つの上部半割部材２ａ及び下部半割部材２ｂの大径部収納部３の略Ｕ字状の幅方向の両端部を当接させることで、大径部収納部突起３１を大径部収納部凹部３２に嵌合させることが可能である。
【００６６】
図２（ａ）に示すように、下部半割部材２ｂの筒状部４の両側の大径部収納部３の内周面の全周には、止水部材３４が貼合される。さらに、止水部材３４は、下部半割部材２ｂの筒状部４の内周面に配置されることが望ましい。このように、２つの上部半割部材２ａ及び下部半割部材２ｂの分岐部５を除く筒状部４の内周面、及び筒状部４の両側の大径部収納部３の内周面の全周に、止水部材３４が貼合されることが望ましい。
【００６７】
図４は、２つの上部半割部材２ａ及び下部半割部材２ｂを組み合わせた状態で、筒状部４の管軸方向の両端部近傍の外周において、上部半割部材２ａ及び下部半割部材２ｂが固定部材で固定されたケーブル取出し用保護部材１を示す側面図である。
【００６８】
図示した例では、固定部材として伸縮性を有するバンド状固定部材９が用いられる。バンド状固定部材９によって、筒状部４の管軸方向の両端部近傍の外周が固定される。なお、バンド状固定部材９は、例えば伸縮性を有するゴム製である。このように、バンド状固定部材９によって、筒状部４の管軸方向の両端部近傍を締め付けることで、上部半割部材２ａと下部半割部材２ｂの嵌合部に圧がかかり、確実に両者を嵌合して止水性を確保することができる。
【００６９】
なお、固定部材としては、バンド状固定部材９には限られない。図５は、固定部材として、Ｃリング８を用いたケーブル取出し用保護部材１を示す図であり、図６（ａ）は、Ｃリング８の正面図、図６（ｂ）は図６（ａ）のＡ−Ａ線断面図である。Ｃリング８は、周方向の一部が切れた略環状の部材である。Ｃリング８は、拡開可能なばね性を有し、例えば、ＡＢＳ樹脂、ＰＰ樹脂、硬質塩化ビニル、これらのいずれかとＰＣ樹脂の混合樹脂またはポリマーアロイのいずれかまたは金属製である。
【００７０】
上部半割部材２ａと下部半割部材２ｂの筒状部４の管軸方向の両端部近傍の外周に前記Ｃリング８を配置することで、Ｃリング８の縮径力により、筒状部４を固定することができる。このように、バンド状固定部材９と同様に、Ｃリング８によって筒状部４の管軸方向の両端部近傍を締め付けることで、上部半割部材２ａと下部半割部材２ｂの嵌合部に圧がかかり、確実に両者を嵌合して止水性を確保することができる。
【００７１】
なお、止水部材が水膨張性不織布である場合には、Ｃリング８やバンド状固定部材９の締め付け力による効果に加えて、水膨張性不織布が吸水膨潤してゲル化した場合には、水膨張性不織布が自在に変形すると同時に膨張して水膨張性不織布を配置部近傍の止水空間を完全に閉塞することから止水性を吸水によりさらに高めることができる。この際、大径部収納部３の外周には、補強用リブが形成されていることから、水膨張性不織布が吸水膨潤して、大径部収納部に圧力が付与されても大径部収納部が変形することがない。
【００７２】
なお、Ｃリング８の内周面は、平滑であってもよいが、ねじを形成してもよい。図６（ｃ）は、Ｃリング８ａを示す正面図であり、図６（ｄ）は、図６（ｃ）のＢ−Ｂ線断面図である。Ｃリング８ａの内周には、円周方向に略平行な複数のねじ山からなるねじ部８１が形成される。
【００７３】
この場合には、筒状部４の外周に、Ｃリング８ａのねじ部８１と嵌合可能なねじ部が形成される。Ｃリング８ａの内周のねじ部が、筒状部４の外周のねじ部に嵌合されることで、Ｃリング８ａが筒状部４に固定される。このようにすることで、Ｃリング８ａが筒状部４の管軸方向の両端部近傍からずれることを抑制することができる。
【００７４】
また、Ｃリングの内周に形成されるねじ部は、円周方向に略平行な複数のねじ山でなく、螺旋状のねじ山でもよく、この場合には、筒状部に螺旋状のねじ山を形成すれば、両者を嵌合させることができる。
【００７５】
以上の他、特に図示しないが、筒状部４のＣリング８が配置される位置の内側近傍に、筒状部４の外周に筒状部４の外径より僅かに外径の大きな突状部を設け、筒状部４の両端部と突状部の間にそれぞれＣリング８を固定することで、Ｃリング８のずれ防止を行ってもよい。この場合には、Ｃリング８の内周にねじ部を形成する必要はない。また、筒状部４の両端部と突状部の間に、Ｃリング８を配置する代わりにそれぞれバンド状固定部材９を配置してもよい。
【００７６】
図７（ａ）は、接続部６に、抜け止め用のリング部材とゴムパッキンが取り付けられた状態を示す図。接続部６は、抜け止めリングとゴムパッキンからなる雄型接続部である。なお、抜け止めリングは、開口部を有するＣ型であってもよく、環状であってもよい。抜け止めリングに形成される係止爪で、ロックできれば良い。ゴムパッキンと合わせることで抜け止めと止水を行うことができる。
【００７７】
なお、ゴムパッキンとしては、例えば、ＥＰゴム、ＳＢＲ、ＣＲ、ＮＢＲ、ＡＣＭゴムやＥＰＤＭ／ＰＰの動的架橋エラストマー等を適用可能である。
【００７８】
図７（ｂ）は、ケーブル取出し用保護部材１ａを示す側面図である。ケーブル取出し用保護部材１ａの接続部は、大径の下部接続部６１と、下部接続部６１より小径の上部接続部６２の２段に形成される。下部接続部６１と上部接続部６２の２つの接続部のいずれかに分岐用電線管を接続することができる。すなわち、径の異なる分岐用電線管を接続することができる。
【００７９】
なお、接続部６は、他の分岐用電線管と接続可能であればその構造は限定されない。例えば、図８（ａ）は、接続部６が、らせん溝が形成されたらせん状のねじ部７１であるケーブル取出し用保護部材１ｂを示す側面図である。なお、接続部６に分岐用電線管を螺旋接続する場合には、接続部６のねじ部の表面に止水部材が貼合されているか、接続される分岐用電線管の内面に止水部材が貼合されればよい。このように、接続部６は、らせん溝、または抜け止めリングとゴムパッキンからなる雄型接続部のいずれかで形成されることが望ましい。なお、以下の説明では、ケーブル取出し用保護部材１について説明する。
【００８０】
ケーブル取出し用保護部材１の両側の大径部収納部３には、後述する角形電線管が配置され、分岐部５からは、電線管内部のケーブルが分岐される。この場合には、分岐部５に他の分岐用電線管が接続される。なお、分岐部５からケーブルを分岐させず、接続部６に電線管を接続しない場合には、分岐部５を閉塞してもよい。図８（ｂ）は、分岐部５の先端に止水栓７を配置して分岐部５を閉塞した状態を示す図である。このように、分岐部５の接続部６に止水栓７を被冠することが可能であり、接続部６の先端に止水栓７を被冠させることで、ケーブル取出し用保護部材１の内部に雨水や地下水の侵入を防止することができる。
【００８１】
次に、ケーブル取出し用保護部材１を有する角形電線管の管路からのケーブルの取出し構造について説明する。図９（ａ）は、角形電線管の管路を示す図である。なお、以下の説明において、止水部材及び固定部材の図示を省略する。前述したように、ケーブル取出し用保護部材１は、上部半割部材２ａと下部半割部材２ｂとが固定されて構成される。この状態で、ケーブル取出し用保護部材１の両側には角形電線管１２が接続される。
【００８２】
角形電線管１２は、断面略正方形状の大径部と、断面略円形状の小径部とが交互に形成された電線管である。ケーブル取出し用保護部材１の両端の大径部収納部３にはそれぞれ角形電線管１２の大径部が収納される。すなわち、角形電線管１２は、それぞれ所定距離離間して対向配置される。
【００８３】
ここで、上部半割部材２ａと下部半割部材２ｂの両側に形成された大径部収納部３の管軸方向の距離（大径部収納部間距離３３）は、ケーブル取出し用保護部材１に固定される角形電線管１２の大径部の配置間隔と一致する長さに設定されてもよい。このようにすることで、既設の角形電線管１２の管路の小径部を切断したとしても、既設の管路の当該切断部にケーブル取出し用保護部材１の大径部間の距離を適合させることが可能になり、ケーブル取出し用保護部材１を適切に配置することができる。
【００８４】
なお、図９（ｂ）に示すように、小径部の略中央には、二つの小突起が形成されてもよい。この二つの小突起の間の溝をガイドとして、角形電線管１２の切断を容易に行うことができる。このように、切断用の中央に切断溝が形成されていることが望ましいが、このような突起と溝は形成されていなくてもよい。また、図９（ｂ）のように、ケーブル取出し用保護部材１の両側に接続された、いずれかの角形電線管１２から、所定本数のケーブル１１が一方の上部半割部材２ａの分岐部５から取り出すこともできる。
【００８５】
また、角形電線管１２としては、図９（ａ）、図９（ｂ）に示すような一重構造の角形電線管ではなく、二重構造の角形電線管であってもよい。図１０に示す例では、角形電線管１２に変えて、二重壁角形電線管１３がケーブル取出し用保護部材１に接続される。すなわち、ケーブル取出し用保護部材１が用いられた二重壁角形電線管１３の管路が形成される。二重壁角形電線管１３は、角形電線管１２と同様の形態の外管の内部に、略円断面形状の内管が配置されて両者が一体化したものである。より詳細には、円管である内管の外面が、角形電線管１２と同形態の外管の小径部の内面において融着されて一体化したものである。
【００８６】
このように、二重壁角形電線管１３を、ケーブル取出し用保護部材１の両側に接続することで、二重壁角形電線管１３の管路は形成される。また、角形電線管の管路においては、所定距離離間して対向配置された一方の二重壁角形電線管１３から他方の二重壁角形電線管１３を貫通するように複数の電線あるいはケーブル（図示した例ではケーブル１１）が挿通される。
【００８７】
図１１は、角形電線管の管路からの電線あるいはケーブルの取出し構造を示す図である。なお、図示した例では、二重壁角形電線管１３を用いた、角形電線管の管路からの電線あるいはケーブルの取出し構造を示すが、角形電線管１２も同様の構成である。
【００８８】
ケーブル取出し用保護部材１の両側に接続された、いずれかの二重壁角形電線管１３から、所定本数のケーブル１１が一方の上部半割部材２ａの分岐部５から取り出される。前述したように、分岐部５の接続部６には、分岐用電線管（図示省略）が接続され、分岐されたケーブル１１は、分岐部５を介して分岐用電線管に挿通される。なお、分岐用電線管は、接続部６に嵌合可能な雌型嵌合部が形成されればよい。
【００８９】
次に、角形電線管の管路の積層構造について説明する。図１２（ａ）は、角形電線管の多条多段の積層構造１４を示す図である。角形電線管の多条多段の積層構造１４は、複数の角形電線管１２の管路が、積層されて構成される。なお、角形電線管１２に変えて、二重壁角形電線管１３を用いてもよい。また、角形電線管１２の配置数やサイズ等は図示した例には限られない。
【００９０】
角形電線管の多条多段の積層構造１４では、角形電線管の管路からの電線あるいはケーブルの取出し構造が、多条多段に積層された角形電線管１２の管路の積層構造の最上段に積層されている。なお、角形電線管の多条多段の積層構造１４におけるケーブル取出し用保護部材１の分岐部５は、側方に向けて配置される。このようにすることで、分岐部５から、ケーブル取出し用保護部材１に接続された角形電線管の内部のケーブルを取り出して、分岐させることができる。なお、分岐部５から分岐された電線あるいはケーブルは、さらに外部で接続されてもよい。
【００９１】
なお、分岐部５は、必ずしも横向きに配置されなくてもよい。例えば、図１２（ｂ）に示す、角形電線管の多条多段の積層構造１４ａのように、最上段に配置されたケーブル取出し用保護部材１の分岐部５を、上方に向けて配置してもよい。この場合でも、分岐部５から、ケーブル取出し用保護部材１に接続された角形電線管の内部のケーブルを取り出して、分岐させることができる。上記の多条多段に段済みする電線管の製品寸法が複数種にわたる場合には、段済みの積層構造が安定するように、製品寸法の小さい電線管を上段に積層することが望ましい。上記のように多条多段に段積みする電線管の製品寸法が複数種にわたる場合には、段積みの積層構造が安定するように、製品寸法の小さい電線管を上段に積層することが望ましい。
【００９２】
図１３は、角形電線管の多条多段の積層構造１４から、需要者までのケーブル１１の敷設状態を示す概略図である。角形電線管の多条多段の積層構造１４は地中に埋設される。角形電線管１２の管路の内部から、一部のケーブル１１が分岐部５を介して取り出される。
【００９３】
ケーブル取出し用保護部材１の分岐部５には、分岐用電線管１５が接続される。分岐用電線管１５は、角形電線管の管路から需要者まで敷設される。このため、角形電線管の多条多段の積層構造１４から、一部のケーブル１１を分岐させて、需要者まで敷設することができる。
【００９４】
以上、本実施の形態によれば、一方の上部半割部材２ａの大径部収納部突起３１が、他方の下部半割部材２ｂの大径部収納部凹部３２に嵌合するため、相互にずれることがない。また、固定部材によって、上部半割部材２ａと下部半割部材２ｂとを確実に固定することができる。
【００９５】
また、止水部材によって、上部半割部材２ａと下部半割部材２ｂの接合面等や内面から、内部に配置される角形電線管の内部に雨水や地下水が浸入することを防止することができる。このように、ケーブル取出し用保護部材１は、上部半割部材２ａと下部半割部材２ｂとの嵌合及び固定構造と、止水性確保の構造が独立して形成されるため、簡易な構造で、確実に両者の効果を相互に阻害することなく得ることができる。
【００９６】
また、ケーブル取出し用保護部材１を用いれば、必要に応じて必要な位置から適宜電線やケーブル１１を取り出すことができる。この際、前述したように止水性を有するため、新規に管路を敷設する場合や、既設の管路に取り付ける場合にも、きわめて有効に適用できる。
【００９７】
また、ケーブル取出し用保護部材１が角形電線管（角形電線管１２及び二重壁角形電線管１３）を接続可能であるため、角形電線管を密着して多条多段に積層することができる。このように、角形電線管の管路を形成することが可能なため、角形電線管の埋設工事において、土砂の掘り起こし量が少なく、工事期間も短い。
【００９８】
また、ケーブル取出し用保護部材１の、大径部収納部間距離３３と、角形電線管の大径部間の距離を一致させることで、角形電線管の管路を新規に設ける場合だけでなく、角形電線管の管路を敷設した後であっても、既設の角形電線管の小径部を所定長さに切断するだけで、ケーブル取出し用保護部材１を容易に設置することができるため、既設管路への適用が容易で既設管路の他の部位の再施工などが不要で効率的な工事が可能になる。
【００９９】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【０１００】
１、１ａ、１ｂ………ケーブル取出し用保護部材
２ａ………上部半割部材
２ｂ………下部半割部材
３………大径部収納部
３１………大径部収納部突起
３２………大径部収納部凹部
３３………大径部収納部間距離
３４………止水部材
４………筒状部
５………分岐部
６………接続部
６１………下部接続部
６２………上部接続部
７………止水栓
７１………ねじ部
８、８ａ………Ｃリング
８１………ねじ部
９………バンド状固定部材
１１………ケーブル
１２………角形電線管
１３………二重壁角形電線管
１４、１４ａ………角形電線管の多条多段の積層構造
１５………分岐用電線管
【図１】
2022003845.tif 000003
【図２】
2022003845.tif 000004
【図３】
2022003845.tif 000005
【図４】
2022003845.tif 000006
【図５】
2022003845.tif 000007
【図６】
2022003845.tif 000008
【図７】
2022003845.tif 000009
【図８】
2022003845.tif 000010
【図９】
2022003845.tif 000011
【図１０】
2022003845.tif 000012
【図１１】
2022003845.tif 000013
【図１２】
2022003845.tif 000014
【図１３】
2022003845.tif 000015